(57)【特許請求の範囲】
【請求項１】
両面原稿の読取を実行するために当該両面原稿を搬送する搬送路を含む搬送部と、
前記搬送路の一方の側から、搬送される前記両面原稿の表面の画像を読み取る第１の読取部と、
前記第１の読取部とは前記搬送路を介して対向する位置にある他方の側から、搬送される前記両面原稿の裏面の画像を読み取る第２の読取部と、
前記搬送部、前記第１および第２の読取部を制御する読取制御部とを備え、
前記読取制御部は、前記両面原稿の表裏両面の画像をユーザが同時に見る所定の出力形態が設定された場合に、前記第１および第２の読取部の一方のみを用いて前記両面原稿の一方の面の画像および反転搬送された前記両面原稿の他方の面の画像を読み取る第１の両面読取モードで前記両面原稿の読取を実行し、前記所定の出力形態が設定されていない場合には前記第１および第２の読取部を用いて前記両面原稿の表裏の画像を一度の搬送で読み取る第２の両面読取モードで前記両面原稿の読取を実行するように指示する、両面画像読取装置。
【請求項２】
前記所定の出力形態は、少なくとも１つの前記両面原稿の表裏両面の画像を１つの面に出力する形態である、請求項１記載の両面画像読取装置。
【請求項３】
前記所定の出力形態は、複数枚の前記両面原稿の表裏両面の画像を複数枚の印刷用紙の表裏両面にそれぞれ出力し、かつ、複数点でステープル処理を実行する形態である、請求項１または２記載の両面画像読取装置。
【請求項４】
前記所定の出力形態とは、ユーザが前記両面原稿の表裏両面を並べて見る形態である、請求項１〜３のいずれかに記載の両面画像読取装置。
【請求項５】
請求項１〜４のいずれか一項に記載の両面画像読取装置と、
前記両面原稿の画像を出力する出力形態の設定を行なう出力形態設定部と、
前記両面画像読取装置により読取られた画像を形成する画像形成部とを備えた、画像形成装置。
【請求項６】
前記画像形成部で印字された複数の印刷用紙に対して指示に応答してステープル処理を実行するステープル処理部をさらに備えた、請求項５に記載の画像形成装置。
【発明の詳細な説明】
【技術分野】
【０００１】
本発明は両面画像読取装置および画像形成装置に関し、特に原稿の両面を読取可能な両面画像読取装置および画像形成装置に関する。
【背景技術】
【０００２】
自動原稿搬送装置（以下、「ＡＤＦ」とも称する）が原稿を搬送している間に、原稿の画像を読取るシートスルータイプの画像読取装置が知られている。
【０００３】
近年では、原稿を読取るための画像センサが２つ設けられ、ＡＤＦが原稿を搬送している間に、２つの画像センサに原稿の両面をそれぞれ読取らせる、すなわち一括読取を実行する画像読取装置が知られている。これにより、高速に両面原稿の読取を実行することが可能である。
【０００４】
一方、画像読取装置の小型化を図るため、原稿の裏面の読取はＣＩＳ（Contact Image Sensor）を用い、原稿の表面の読取はＣＣＤ（Charge Coupled Device）センサを用いる場合がある。
【０００５】
しかしながら、ＣＩＳは、ＣＣＤセンサよりも高速でスキャンすると色ズレが生じやすく、また、焦点深度が浅いため原稿が原稿台に密着していないとピントが合いにくい。
【０００６】
したがって、ＣＩＳとＣＣＤセンサを用いて一括読取を実行した場合に画像センサの違いによる画質差が生じることが判明している。特開２００４−１５２９９号公報および特開２００７−７４５００号公報においては、カラー画像の読み取りにおいて画質差が顕著に現れることから、原稿がカラーである場合あるいは画質を重視する場合には、ＡＤＦの搬送経路内で原稿の表裏を反転し、一方の画像センサ例えばＣＣＤセンサのみを用いて原稿の表裏の画像を読取る（スキャン）方法等が提案されている。
【０００７】
また、特開２００５−１２４４２号公報においては、画質を優先させるか、速度を優先させるかのユーザのニーズに応じて、読み取りモードの選択が可能な方式が示されている。具体的には、画質を優先させる場合の画質優先モードを選択した場合には、ＡＤＦの搬送経路内で原稿の表裏を反転し、一方の画像センサ例えばＣＣＤセンサのみを用いて原稿の表裏の画像を読み取り、速度を優先させる場合の速度優先モードには、ＣＩＳおよびＣＣＤセンサの両方を用いて両面を同時に読み取る（スキャン）方法等が提案されている。
【０００８】
また、特開２００７−８２０３３号公報においては、ＣＩＳとＣＣＤセンサを用いて一括読取を実行した場合に画像センサの違いにより生じる画質差を解消するために、ＣＩＳをさらに設けて、原稿の表裏を２つのＣＩＳを用いて読取ることにより、画像センサの違いにより生じる画質差を解消する方法等が提案されている。
【特許文献１】特開２００４−１５２９９号公報
【特許文献２】特開２００５−１２４４２号公報
【特許文献３】特開２００７−７４５００号公報
【特許文献４】特開２００７−８２０３３号公報
【発明の開示】
【発明が解決しようとする課題】
【０００９】
一方、出力形態として１点綴じを実行する場合について説明する。なお、出力形態として１点綴じを実行するとは、複数の印刷用紙について、一例として複数の印刷用紙の左側上部端に対してステープル処理を実行するものをいうものとする。
【００１０】
図１５は、２枚の両面原稿の一例を説明する図である。
図１５（ａ）〜（ｃ）には、１枚目の両面原稿の図が示されている。また、図１５（ｄ）〜（ｆ）には、２枚目の両面原稿の図が示されている。
【００１１】
図１５（ａ）を参照して、ここでは、１枚目の両面原稿の表面に右側方向への矢印の図形が示されている。また、表面から見た裏面に描かれた左側方向への点線で囲まれる矢印の図形も示されている。
【００１２】
図１５（ｂ）においては、１枚目の両面原稿の表面に描かれた右側方向の矢印の図形が示されている。
【００１３】
図１５（ｃ）においては、１枚目の両面原稿の裏面に描かれた右側方向の矢印の図形が示されている。
【００１４】
図１５（ｄ）を参照して、ここでは、２枚目の両面原稿の表面に上側方向への矢印の図形が示されている。また、表面から見た裏面に描かれた下側方向への点線で囲まれる矢印の図形も示されている。
【００１５】
図１５（ｅ）においては、２枚目の両面原稿の表面に描かれた上側方向の矢印の図形が示されている。
【００１６】
図１５（ｆ）においては、２枚目の両面原稿の裏面に描かれた下側方向の矢印の図形が示されている。
【００１７】
図１６は、２枚の両面原稿を同じ画像センサを用いて順次に読取り、両面印刷して１点綴じを実行した場合について説明する図である。なお、ここでは、２枚の両面原稿について、ＡＤＦの搬送経路内で原稿の表裏を反転し、一方の画像センサ例えばＣＣＤセンサのみを用いて原稿の表裏の画像を読み取り、両面印刷する場合について説明する。
【００１８】
図１６（ａ）を参照して、ここでは、両面印刷した１枚目の印刷用紙の表面が示されている。具体的には、一例としてＣＣＤセンサを用いて１枚目の両面原稿の表面の読取りを実行して、印刷用紙の１枚目の表面に読取った図形を印字した場合が示されているものとする。また、１枚目の表面から見た裏面に描かれた左側方向への点線で囲まれる矢印の図形、また２枚目の表面および裏面の点線で囲まれる矢印の図形も示されている。
【００１９】
図１６（ｂ）を参照して、ここでは、ステープル処理を実行した印刷用紙の左側上部端において折り曲げた場合が示されており、ＣＣＤを用いて１枚目の両面原稿の裏面の読取りを実行して、印刷用紙の１枚目の裏面に読取った図形を印字した場合が示されている。
【００２０】
図１６（ｃ）を参照して、ここでは、ステープル処理を実行した印刷用紙の左側上部端において折り曲げた場合が示されており、ＣＣＤセンサを用いて２枚目の両面原稿の表面の読取りを実行して、印刷用紙の２枚目の表面に読取った図形を印字した場合が示されている。
【００２１】
図１６（ｄ）を参照して、ここでは、ステープル処理を実行した印刷用紙の左側上部端において折り曲げた場合が示されており、ＣＣＤを用いて２枚目の両面原稿の裏面の読取りを実行して、印刷用紙の２枚目の裏面に読取った図形を印字した場合が示されている。
【００２２】
ここで、複数の印刷用紙に対してステープル処理を実行した場合、具体的には、１点綴じを実行する場合には、利用者は、１枚ずつ折り曲げて、１枚目の裏面、２枚目の表面および２枚目の裏面を見ることになる。したがって、１枚目の裏面および２枚目の表面を同時に見ることにはならない、すなわち利用者は、両面原稿に画質の差がある場合であっても気にならないと考えられる。
【００２３】
しかしながら、従来技術である上記特許文献１〜３に記載されるＡＤＦを用いた場合には、原稿がカラー画像であるかあるいは、ユーザが画質優先である場合には、出力形態がたとえば上記のような複数の印刷用紙の一点綴じを実行する場合等に係らずＡＤＦの搬送経路内で原稿の表裏を反転し、一方の画像センサ例えばＣＣＤセンサのみを用いて原稿の表裏の画像を読み取り、同一センサで両面を読み取ることになり処理効率が低下することになる。
【００２４】
また、特許文献４に記載されるＡＤＦを用いた場合には、２個のＣＩＳを用いて原稿を同時に読み取ることが可能であるため処理効率は低下しないと考えられるが、１個のＣＣＤセンサおよびＣＩＳに加えて、さらにＣＩＳを新たに設ける構成であるためＡＤＦ本体が大きくなる可能性がある。さらには、ＣＩＳを新たに設けることによりコストが高くなり問題がある。
【００２５】
一方で、両面原稿を印刷した場合に以下のような出力形態とした場合には、利用者が画質の差を感じてしまうことが考えられる。
【００２６】
図１７は、出力形態として、両面原稿をツーインワン（２ｉｎ１）コピーする場合を説明する図である。なお、両面原稿をツーインワンコピーするとは、両面原稿の表面および裏面の画像をそれぞれ読取って、２枚の表面および裏面の画像を縮小して１枚の印刷用紙に印字する処理をいうものとする。
【００２７】
図１７（ａ）〜（ｃ）は、図１５（ａ）〜（ｃ）に示される図形と同じであるのでその詳細な説明は繰り返さない。
【００２８】
図１７（ｄ）を参照して、ここでは、両面原稿をそれぞれ異なる画像センサ（ＣＣＤセンサおよびＣＩＳ）を用いて一括して読取りを実行して、ツーインワンコピーした場合の図が示されており、印字された２つの矢印の図形は画質が異なる。
【００２９】
したがって、異なる画像センサで表面および裏面の画像を読取って一枚の印刷用紙に印字することになるため利用者は、画質差が生じている表面画像と裏面画像を同時に見ることになり、出力形態としてツーインワンコピーを実行した場合には、画質差が気になると考えられる。
【００３０】
図１８は、出力形態として、２枚の両面原稿を互いに異なる画像センサを用いて一括で読取り、両面印刷して２点綴じを実行した場合を説明する図である。なお、２点綴じを実行するとは、複数の印刷用紙について、一例として複数の印刷用紙の左端に対して２点でステープル処理を実行するものをいう。具体的には、図１５で説明した２枚の両面原稿に対して、両面印刷して２点綴じを実行した場合について説明する。
【００３１】
図１８（ａ）を参照して、ここでは、両面印刷した１枚目の印刷用紙の表面が示されている。具体的には、一例としてＣＣＤセンサを用いて１枚目の両面原稿の表面の読取りを実行して、印刷用紙の１枚目の表面に読取った図形を印字した場合が示されているものとする。また、１枚目の表面から見た裏面に描かれた左側方向への点線で囲まれる矢印の図形、また２枚目の表面および裏面の点線で囲まれる矢印の図形も示されている。なお、両面原稿の１枚目の表面および２枚目の表面は、ＣＣＤセンサを用いて読取った図形が印字されるが、両面原稿の１枚目の裏面および２枚目の裏面は、ＣＩＳを用いて読取った図形が印字される。
【００３２】
図１８（ｂ）を参照して、ここでは、ステープル処理を実行した印刷用紙の左端を折り曲げた場合を説明する図であるが。具体的には、左側部分は、ＣＩＳを用いて１枚目の両面原稿の裏面の読取りを実行して、印刷用紙の１枚目の裏面に読取った図形を印字した場合が示されている。また、右側部分は、ＣＣＤセンサを用いて２枚目の両面原稿の表面の読取りを実行して、印刷用紙の２枚目の表面に読取った図形を印字した場合が示されている。
【００３３】
図１８（ｃ）を参照して、ここでは、両面印刷した２枚目の印刷用紙の裏面が示されている。具体的には、一例としてＣＩＳを用いて２枚目の両面原稿の裏面の読取りを実行して、印刷用紙の２枚目の裏面に読取った図形を印字した場合が示されているものとする。
【００３４】
再び、図１８（ｂ）を参照して、本例においては、左側部分は、ＣＩＳを用いて１枚目の両面原稿の裏面を読取り、右側部分は、ＣＣＤセンサを用いて２枚目の両面原稿の表面の読取り、それぞれ印刷用紙に印字したものである。したがって、利用者は、左側の１枚目の裏面画像と右側の２枚目の表面画像とを同時に見ることになり、出力形態として両面印刷して２点綴じを実行した場合には、画質差が気になると考えられる。
【００３５】
図１９は、出力形態として、２枚の両面原稿を互いに異なる画像センサを用いて一括で読取り、小冊子コピーした場合を説明する図である。なお、小冊子コピーとは、出力結果が冊子となるように、１枚の印刷用紙に複数頁の印刷処理を実行するものをいう。
【００３６】
具体的には、図１５で説明した２枚の両面原稿に対して小冊子コピーを実行した場合について説明する。１枚目の表面画像および裏面画像をそれぞれ１頁目、２頁目とする。また、２枚目の表面画像および裏面画像をそれぞれ３頁目、４頁目とする。
【００３７】
全体で４頁の原稿を小冊子コピーした場合、印刷用紙を中央部分で折り曲げた場合に冊子となるように印刷用紙の表面には、１頁目と４頁目との原稿に対してツーインワンコピーを実行する。また、印刷用紙の裏面には、２頁目と３頁目との原稿に対してツーインワンコピーを実行する。
【００３８】
図１９（ａ）を参照して、ここでは、上述したように印刷用紙を中央部分で折り曲げた場合の図が示されており、１頁目として、１枚目の両面原稿の表面画像が読取られて、上述したツーインワンコピーにより印刷用紙の表面の右側に印字された場合が示されている。
【００３９】
図１９（ｂ）を参照して、ここでは、図１９（ａ）の状態から印刷用紙を見開いた状態が示されており、２頁目および３頁目として、１枚目の両面原稿の裏面画像および２枚目の両面原稿の表面画像が読取られて、上述したツーインワンコピーにより印刷用紙の裏面の左側および右側にそれぞれ印字された場合が示されている。なお、本例では、左側部分は、ＣＩＳを用いて１枚目の両面原稿の裏面の読取りを実行して、印刷用紙の裏面に読取った図形を印字した場合が示されている。また、右側部分は、ＣＣＤセンサを用いて２枚目の両面原稿の表面の読取りを実行して、印刷用紙の裏面に読取った図形を印字した場合が示されている。
【００４０】
図１９（ｃ）を参照して、ここでは、図１９（ｂ）の状態から印刷用紙を中央部分で折り曲げた場合の図が示されており、４頁目として、ＣＩＳを用いて２枚目の両面原稿の裏面画像が読取られて、上述したツーインワンコピーにより印刷用紙の表面の左側に印字された場合が示されている。
【００４１】
再び、図１９（ｂ）を参照して、本例においては、左側部分は、ＣＩＳを用いて１枚目の両面原稿の裏面を読取り、右側部分は、ＣＣＤセンサを用いて２枚目の両面原稿の表面の読取り、それぞれ印刷用紙に印字したものである。したがって、利用者は、左側の２頁目として１枚目の裏面画像と３頁目として右側の２枚目の表面画像とを同時に見ることになり、出力形態として小冊子コピーした場合には、画質差が気になると考えられる。
【００４２】
一方、図２０は、出力形態として、２枚の両面原稿を同じ画像センサを用いて順次に読取り、小冊子コピーした場合を説明する図である。ここでは、両面原稿の表面および裏面を同じ画像センサ例えばＣＣＤセンサを用いて読取りを実行し、小冊子コピーした場合が示されている。
【００４３】
図２０（ａ）を参照して、ここでは、上述したように印刷用紙を中央部分で折り曲げた場合の図が示されており、１頁目として、１枚目の両面原稿の表面画像が読取られて、上述したツーインワンコピーにより印刷用紙の表面の右側に印字された場合が示されている。
【００４４】
図２０（ｂ）を参照して、ここでは、図２０（ａ）の状態から印刷用紙を見開いた状態が示されており、２頁目および３頁目として、１枚目の両面原稿の裏面画像および２枚目の両面原稿の表面画像が読取られて、上述したツーインワンコピーにより印刷用紙の裏面の左側および右側にそれぞれ印字された場合が示されている。
【００４５】
図２０（ｃ）を参照して、ここでは、図２０（ｂ）の状態から印刷用紙を中央部分で折り曲げた場合の図が示されており、４頁目として、２枚目の両面原稿の裏面画像が読取られて、上述したツーインワンコピーにより印刷用紙の表面の左側に印字された場合が示されている。
【００４６】
ここで、図２０（ａ）〜（ｃ）は、１枚目および２枚目の両面原稿の表面および裏面を同じ画像センサ例えばＣＣＤセンサを用いて読取り、それぞれ印刷用紙に印字したものである。したがって、この場合、利用者は、画質差は気にならないが、ＡＤＦの搬送経路内で原稿の表裏を反転し、一方の画像センサ例えばＣＣＤセンサのみを用いて原稿の表裏の画像を読み取り、同一センサで両面を読み取ることになり上述したように処理効率が低下することになる。
【００４７】
したがって、コストを高くすることなく、利用者が実行する出力形態を考慮した上で、読取った原稿の画質も考慮して原稿読取の処理効率も高い読取が実行できることが望ましい。
【００４８】
本発明は上記のような問題を解決するためになされたものであって、利用者が実行する出力形態に従って、読取った原稿の画質も考慮して原稿読取の処理効率も高い読取が実行可能な両面画像読取装置および画像形成装置を提供することを目的とする。
【課題を解決するための手段】
【００４９】
本発明のある局面に従う両面画像読取装置は、両面原稿の読取を実行するために当該両面原稿を搬送する搬送路を含む搬送部と、搬送路の一方の側から、搬送される両面原稿の表面の画像を読み取る第１の読取部と、第１の読取部とは搬送路を介して対向する位置にある他方の側から、搬送される両面原稿の裏面の画像を読み取る第２の読取部と、搬送部、第１および第２の読取部を制御する読取制御部とを含む。記読取制御部は、両面原稿の表裏両面の画像をユーザが同時に見る所定の出力形態が設定された場合に、第１および第２の読取部の一方のみを用いて両面原稿の一方の面の画像および反転搬送された両面原稿の他方の面の画像を読み取る第１の両面読取モードで両面原稿の読取を実行し、所定の出力形態が設定されていない場合には第１および第２の読取部を用いて両面原稿の表裏の画像を一度の搬送で読み取る第２の両面読取モードで両面原稿の読取を実行するように指示する。
【００５０】
好ましくは、所定の出力形態は、少なくとも１つの両面原稿の表裏両面の画像を１つの面に出力する形態である。
【００５１】
好ましくは、所定の出力形態は、複数枚の両面原稿の表裏両面の画像を複数枚の印刷用紙の表裏両面にそれぞれ出力し、かつ、複数点でステープル処理を実行する形態である。
【００５２】
好ましくは、所定の出力形態とは、ユーザが両面原稿の表裏両面を並べて見る形態である。
【００５３】
本発明の別の局面に従う画像形成装置は、上記の両面画像読取装置と、両面原稿の画像を出力する出力形態の設定を行なう出力形態設定部と、両面画像読取装置により読取られた画像を形成する画像形成部とを含む。
【００５４】
好ましくは、画像形成部で印字された複数の印刷用紙に対して指示に応答してステープル処理を実行するステープル処理部をさらに含む。
【発明の効果】
【００５５】
本発明の両面画像読取装置および画像形成装置は、両面原稿の画像を出力する出力形態の設定指示に基づいて第１の両面読取モードおよび第２の両面読取モードのうちのいずれかのモードで両面原稿の読取を実行する。出力形態として、画質の差を感じる出力形態の場合には、第１の両面読取モードを指示し、画質の差が感じられない出力形態の場合には、第２の両面読取モードを指示することにより、読取った原稿の画質も考慮して原稿読取の処理効率も高い読取を実行することが可能である。
【発明を実施するための最良の形態】
【００５６】
以下に、図面を参照しつつ本発明の実施の形態について説明する。以下の説明においては同一の部品および構成要素には同一の符号を付してある。それらの名称および機能も同一であるものとする。
【００５７】
図１は、本発明の実施の形態に従う両面画像読取装置を含む画像形成装置の概略を説明する断面図である。なお、ここでは、画像形成装置の一例として代表的にＭＦＰ１を用いて説明する。
【００５８】
図１を参照して、本発明の実施の形態に従うＭＦＰ１は、自動原稿搬送装置（ＡＤＦ）３と、スキャナ５と、画像形成部５０と、後処理部６０とを含む。
【００５９】
ＡＤＦ３は、給紙トレー１１と、給紙ローラ１３と、分離ローラ１５と、レジストローラ１７と、読取前ローラ１９と、搬送ガイド部材２０と、中間ローラ２１と、読取後ローラ２３と、排出ローラ３０と、反転排出ローラ２２と、排紙トレー２７と、排紙・反転切換部２５，２６と、第２読取部２９と、ＡＤＦ３の全体を制御するためのＡＤＦ制御部６１とを含む。なお、ＡＤＦ３と、スキャナ５とで両面画像読取装置を構成する。
【００６０】
スキャナ５は、透明な部材から構成されたプラテンガラス３１と、光を照射するための光源３３と、光源からの光を反射させる反射部材３５と、３つのラインセンサが副走査方向に配列された第１読取部４１と、原稿からの反射光を反射して第１読取部４１に導くための反射ミラー３７Ａ，３７Ｂ，３７Ｃと、反射ミラー３７Ｃで反射した光を第１読取部４１上に結像させるためのレンズ３９と、第１読取部４１が出力する画像データを処理するための第１画像処理部４３と、第２読取部２９が出力する画像データを処理するための第２画像読取部４５と、スキャナ５の全体を制御するスキャナ制御部５１とを含む。
【００６１】
画像形成部５０は、スキャナ制御部５１を介して第１および第２画像処理部４３，４５から入力された画像データの画像形成処理を実行し、印刷用紙に対して所定の印刷モードに従って入力された画像データを印字する。
【００６２】
後処理部６０は、必要に応じてステープル処理等の後処理を実行し、ステープル処理は、ステープル処理部６５において実行されるものとする。
【００６３】
ＡＤＦ制御部６１は、給紙トレー１１と給紙ローラ１３、分離ローラ１５、レジストローラ１７、読取前ローラ１９、中間ローラ２１、読取後ローラ２３、反転排出ローラ２２および排出ローラ３０を回転させる動力源となるモータの駆動を制御する。また、ＡＤＦ制御部６１は、排紙および用紙の反転制御を実行するための排紙・反転切換部２５，２６の制御も実行する。
【００６４】
給紙ローラ１３は、給紙トレー１１に積載された複数の原稿の最上段から１枚の原稿を捌き、分離ローラ１５に原稿を搬送し、分離ローラ１５およびレジストローラ１７は、原稿を読取前ローラ１９に搬送する。読取前ローラ１９は、搬送ガイド部材２０を介して、原稿をプラテンガラス３１上のスキャナ５の第１読取位置Ｌ１に搬送する。
【００６５】
第１読取位置Ｌ１を通過した原稿は、中間ローラ２１に到達すると中間ローラ２１により第２読取位置Ｌ２に搬送される。
【００６６】
中間ローラ２１を通過した原稿は、第２読取部２９の第２読取位置Ｌ２を通り、読取後ローラ２３に導かれる。原稿排出時、読取後ローラ２３と反転切換部２６により、原稿は排出ローラ３０に導かれる。排出ローラ３０を通過した原稿は、搬送経路Ｐ１から排紙トレー２７に排出され、積載される。
【００６７】
また、排紙・反転切換部２５，２６の切換えに従って搬送経路が切換えられ、読取後ローラ２３から、搬送経路Ｐ２の方向へと原稿が一端導かれ、そして、再び読取後ローラ２３を介して搬送経路Ｐ３を介してレジストローラ１７へと導くことも可能である。この場合、レジストローラ１７へと導かれた原稿は先にレジストローラ１７に導かれた状態と反転した状態で再び導かれ、再び、第１および第２読取位置へと搬送することが可能となる。そして、第１および第２読取位置へと搬送された原稿は、反転した状態であるため排紙・反転切換え部２５，２６の切換えに従って中間ローラ２１から搬送経路Ｐ４の方向へと原稿が一端導かれ、そして、反転排出ローラ２２と、排出ローラ３０により搬送経路Ｐ１から排紙トレー２７に排出することも可能である。当該方式により、反転した原稿は、元の状態に戻り、排紙ローラ３０から排紙トレー２７に導かれることになる。
【００６８】
第１読取部４１は、主走査方向に複数配列されたＣＣＤ（Charge Coupled Device）センサ等の光電変換素子を含む。
【００６９】
第１読取部４１は、ＡＤＦ３により搬送される原稿が第１読取位置Ｌ１を通過する際に、原稿に形成されている画像を光学的に読取り、光電変換した画像データを第１画像処理部４３に出力する。
【００７０】
第２読取部２９は、たとえばＣＩＳ（Contact Image Sensor）であり、原稿の搬送方向と実質的に垂直な主走査方向に配列された複数の光電変換素子を含む。
【００７１】
第２読取部２９は、原稿の搬送経路に設けられた開口部２８に臨んでおり、第２読取位置Ｌ２を通過する原稿に形成されている画像を光学的に読取り、光電変換した画像データを第２画像処理部４５に出力する。
【００７２】
したがって、ＡＤＦ３が原稿を一度搬送する間に第１読取部４１と第２読取部２９とが原稿の両面をそれぞれ読取ることが可能である。
【００７３】
図２は、ＭＦＰ１の内部の制御構成を説明する概略ブロック図である。
図２を参照して、ＭＦＰ１は、ＡＤＦ３と、スキャナ５と、画像形成部５０と、後処理部６０と、操作パネル部７０とを含む。
【００７４】
操作パネル部７０は、図１においては、図示しないが例えばＡＤＦ３もしくは、画像形成部５０に取り付けられる。操作パネル部７０は、パネル制御部７２と、表示部７４と、メモリ７６と、操作キー群７８とを含む。
【００７５】
パネル制御部７２は、操作パネル部７０内の各部に対する各種処理や演算処理等を行なう機能を有する。パネル制御部７２は、マイクロプロセッサ（Microprocessor）、プログラミングすることができるＬＳＩ（Large Scale Integration）であるＦＰＧＡ（Field Programmable Gate Array）、特定の用途のために設計、製造される集積回路であるＡＳＩＣ（Application Specific Integrated Circuit）、その他の演算機能を有する回路のいずれであってもよい。
【００７６】
表示部７４は、ユーザに各種情報を、文字や画像等で表示する機能を有する。表示部７４は、パネル制御部７２から送信された制御指示に基づいた文字または画像を表示する。表示部７４は、ユーザが、画面に直接触れることで、情報入力可能なタッチパネル機能を有するものである。表示部７４は、液晶ディスプレイ（ＬＣＤ（Liquid Crystal Display））、ＦＥＤ（Field Emission Display）、有機ＥＬディスプレイ（Organic Electro luminescence Display）、ドットマトリクス等その他の画像表示方式の表示機器のいずれであってもよい。
【００７７】
操作キー群７８により入力された情報は、パネル制御部７２に送信される。
メモリ７６は、パネル制御部７２によってデータアクセスされ、一時的にデータを記憶するワークメモリとして使用される。メモリ７６は、データを一時的に記憶可能なＲＡＭ（Random Access Memory）で形成することが可能である。
【００７８】
ＡＤＦ３は、ＡＤＦ制御部６１と、それぞれがＡＤＦ制御部６１に接続された第１〜第４駆動部６３，６５，６７，６９と、第１〜第４駆動部６３，６５，６７，６９にそれぞれ接続された第１〜第４パルスモータ６４，６６，６８，７０と、第２読取部２９とを含む。スキャナ５は、スキャナ制御部５１と、それぞれがスキャナ制御部５１に接続されたスライダ駆動部５３と、第１画像処理部４３と、第２画像処理部４５と、第１画像処理部４３に接続された第１読取部４１とを含む。
【００７９】
スキャナ制御部５１とＡＤＦ制御部６１とは、互いに通信可能なように接続されている。また、第２読取部２９と、第２画像処理部４５とは、互いに通信可能なように接続されている。
【００８０】
スキャナ制御部５１とＡＤＦ制御部６１とは、互いに通信することにより、原稿のサイズ情報、動作モード、原稿を読取るためのタイミング情報等の各種の制御情報等をやり取りする。
【００８１】
第１〜第４パルスモータ６４，６６，６８，７０は、第１〜第４駆動部６３，６５，６７，６９のそれぞれが出力するφ０〜φ３の４つの励磁信号により駆動される。
【００８２】
給紙ローラ１３、分離ローラ１５、レジストローラ１７、読取前ローラ１９、中間ローラ２１、読取後ローラ２３、反転排出ローラ２２および排出ローラ２５は、第１〜第３駆動部６３，６５，６７に分割駆動され、原稿を発送するタイミングに応じて、回転速度や回転方向が別々に切換えられ、原稿が搬送経路を通過するのを可能にしている。
【００８３】
具体的には第１パルスモータ６４は、給紙ローラ１３、分離ローラ１５およびレジストローラを回転駆動させる。第２パルスモータ６６は、読取前ローラ１９および中間ローラ２１を回転駆動させる。第３パルスモータ６８は、読取後ローラ２３、反転排出ローラ２２および排出ローラ２５を回転駆動させる。
【００８４】
第１〜第３駆動部６３，６５，６７は、読取倍率や読取モードに応じて、原稿を搬送する速度などの搬送条件を決定し、決定した搬送条件で原稿が搬送されるように第１〜第３パルスモータ６４，６６，６８の駆動を制御する。
【００８５】
第４駆動部６９は、第４パルスモータ７０の駆動を制御する。第４パルスモータ７０は、第２読取部２９を回転移動させる。第４駆動部６９は、ＡＤＦ制御部６１に制御され、両面画像読取装置１が原稿の両面を同時に読取る両面読取モードに設定されると、第２読取部２９が第２読取位置Ｌ２を向く第１位置に第２読取部２９を回転移動させる。また、第４駆動部６９は、画像読取装置１が原稿の一方の面を読取る片面読取モードに設定されると、第２読取部２９が第２読取位置Ｌ２を向く方向とは異なる方向となる第２位置に第２読取部２９を回転移動させる。
【００８６】
スライダ駆動部５３は、スライダモータ５５の駆動を制御する。スライダモータ５５はパルスモータであり、移動可能なスライダユニットを第１読取位置Ｌ１に移動させる。スライダユニットは、光源３３と、反射部材３５と、反射ミラー３７Ａとを搭載する。
【００８７】
第１画像処理部４３は、第１読取部４１が原稿を読取って出力する画像データが入力される。第１画像処理部４３は、入力される画像データに所定の画像処理を施してスキャナ制御部５１に出力する。第２画像処理部４５は、第２読取部２９が原稿を読取って出力する画像データが入力される。第２画像処理部４５は、入力される画像データに所定の画像処理を施し、スキャナ制御部５１に出力する。
【００８８】
スキャナ制御部５１は、入力される画像データを、画像形成部５０に出力する。あるいは、外部インターフェイスを介してそれに接続されたコンピュータあるいはメモリ等に出力することも可能である。
【００８９】
図３は、表示部７４および操作キー群７８を配置したパネル１０の構成を示す平面図である。
【００９０】
図３において、スタートキー２０１は、コピー／スキャン等の動作を開始させるために用いられる。テンキー２０２は、コピー枚数等の数値を入力するために用いられる。クリアキー２０３は、入力された数値のクリア、および蓄積された画像記憶部の画像データを破棄する等に用いられる。
【００９１】
ストップキー２０４は、コピー／スキャン動作の停止を指示するために用いられる。パネルリセットキー２０５は、設定されている操作モードおよびジョブを破棄するために用いられる。
【００９２】
また、表示部７４を構成するディスプレイは、各種モードの表示等を行い、表面にはタッチパネル２０６が取り付けられている。このタッチパネル２０６によって、ユーザはディスプレイ内の表示内容に従った各種設定を行うことができる。
【００９３】
タッチパネル２０６における設定画面領域２０７には、通常は、コピー動作やスキャン動作を実行する際に行う基本的／応用的な設定のためのボタンが配置されている。各ボタンを挿下すると、その詳細設定を行うための階層画面が表示される。
【００９４】
具体的には、一例として、本例においては、「基本」設定ボタン２２０、「集約／原稿」設定ボタン２２２、「原稿画質」設定ボタン２２４、「応用」設定ボタン２２６が配置されている場合が示されている。また、ソートあるいはステープル処理等を設定するための「仕上り」設定ボタン２３６が配置されている。
【００９５】
そして、本例においては「基本」設定ボタン２２０が押下された状態の階層画面が示されており、印刷用紙の濃度あるいは下地部分を調整するための「濃度／下地」設定ボタン２２８、用紙のサイズを設定するための「用紙」設定ボタン２３０、印刷倍率を調整するための「倍率」設定ボタン２３２、および原稿の形態（片面／両面）および出力用紙（印刷用紙）の形態（片面／両面）を設定するための「片面／両面」設定ボタン２３４が一例として示されている。
【００９６】
図４は、「片面／両面」設定ボタン２３４を押下した場合の表示部７４のディスプレイ内の表示内容を説明する図である。
【００９７】
図４を参照して、「片面／両面」設定ボタン２３４が押下された状態の階層画面が示されており、原稿の形態が片面あるいは両面であるかを選択するボタン領域２４０と、出力用紙（印刷用紙）の形態として片面あるいは両面を選択するボタン領域２４２と、ボタン領域２４０，２４２で選択した内容をキャンセルするあるいは設定する「キャンセル」ボタンおよび「ＯＫ」ボタンが設けられたボタン領域２４４が示されている。
【００９８】
たとえば、原稿の形態を両面として選択し、出力用紙（印刷用紙）の形態を両面として選択し、「ＯＫ」ボタンを押下することにより、両面原稿を両面印刷で出力するコピー動作を設定することが可能である。なお、「キャンセル」ボタンを押下することにより、前の画面である図３の画面に戻ることが可能である。
【００９９】
図５は、「集約／原稿」設定ボタン２２２を押下した場合の表示部７４のディスプレイ内の表示内容を説明する図である。
【０１００】
図５を参照して、「集約／原稿」設定ボタン２２２が押下された状態の画面が示されており、一例として集約設定として、ツーインワン（２ｉｎ１）、フォーインワン（４ｉｎ１）、エイトインワン（８ｉｎ１）を選択するボタン領域２４６と、ボタン領域２４６で選択した内容をキャンセルするあるいは設定する「キャンセル」ボタンおよび「ＯＫ」ボタンが設けられたボタン領域２４８が示されている。
【０１０１】
たとえば、ツーインワンを選択し、「ＯＫ」ボタンを押下することにより、出力形態として、ツーインワンのコピー動作を設定することが可能である。なお、「キャンセル」ボタンを押下することにより、前の画面である図３の画面に戻ることが可能である。
【０１０２】
図６は、「応用」設定ボタン２２６を押下した場合の表示部７４のディスプレイ内の表示内容を説明する図である。
【０１０３】
図６を参照して、「応用」設定ボタン２２６が押下された状態の画面が示されており、一例として小冊子コピー等の応用機能等を選択するボタン領域２５６と、ボタン領域２５６で選択した内容をキャンセルするあるいは設定する「キャンセル」ボタンおよび「ＯＫ」ボタンが設けられたボタン領域２５８が示されている。
【０１０４】
たとえば、小冊子を選択し、「ＯＫ」ボタンを押下することにより、出力形態として、小冊子コピー動作を設定することが可能である。なお、「キャンセル」ボタンを押下することにより、前の画面である図３の画面に戻ることが可能である。
【０１０５】
図７は、「仕上り」ボタン２３６を押下した場合の表示部７４のディスプレイ内の表示内容を説明する図である。
【０１０６】
図７を参照して、「仕上り」ボタン２３６が押下された状態の画面が示されており、仕上り設定として、ステープル処理として、「１点綴じ」、「２点綴じ」を選択するボタン領域２５０と、パンチ処理を選択するボタン領域２５２と、ボタン領域２５０，２５２で選択した内容をキャンセルするあるいは設定する「キャンセル」ボタンおよび「ＯＫ」ボタンが設けられたボタン領域２５４が示されている。
【０１０７】
たとえば、ステープル処理として、「１点綴じ」を選択し、「ＯＫ」ボタンを押下することにより、出力形態として、印刷用紙に対して１点綴じのステープル処理を実行する動作を設定することが可能である。同様に、「２点綴じ」を選択し、「ＯＫ」ボタンを押下することにより、出力形態として、印刷用紙に対して２点綴じのステープル処理を実行する動作を設定することが可能である。なお、「キャンセル」ボタンを押下することにより、前の画面である図３の画面に戻ることが可能である。
【０１０８】
再び図３を参照して、タッチパネル２０６のジョブ情報画面領域２０８は、その時点でＭＦＰ１に投入されているジョブ情報が表示される。表示は、実行されるべきジョブの順序で並んでいる。特定のジョブに対して消去や変更等の操作を行う場合は、ジョブ操作ボタン２０９を選択した後、操作対象となるジョブ番号ボタンを押下する。それらの操作によってジョブ操作画面が表示され、特定のジョブに対する操作が可能となる。
【０１０９】
コピーキー２１０、およびスキャンキー２１１はＭＦＰ１をコピー／スキャナの何れの操作モードで動作させるかを設定するための選択キーである。
【０１１０】
コピーキー２１０を押下した場合、ＭＦＰ１はコピー機として使用可能となる。この状態では、スキャナ動作を実行することはできない。
【０１１１】
この時、タッチパネル２０６の設定画面領域２０７には、コピー動作に対する各種設定を行うためのコピーモード表示が行われる。諸設定を終了後、原稿をセットしてスタートキー２０１を押下することにより、コピー動作が開始される。またスキャンキー２１１を押下した場合、ＭＦＰ１はスキャナとなる。この状態では、コピー動作を実行することはできない。この時、タッチパネル２０６の設定画面領域２０７には、スキャン動作に対する各種設定を行うための操作モード表示が行われる。諸設定を終了後、原稿をセットしてスタートキー２０１を押下することにより、スキャン動作が開始される。
【０１１２】
なお、コピーキー２１０とスキャンキー２１１は排他的動作となり、一方を選択すると自動的に他方は非選択状態となる。
【０１１３】
図８は、第１および第２の画像処理部の機能の概略を説明する概略ブロック図である。
図８を参照して、第１の画像処理部４３は、画像入力部８１と、Ａ／Ｄ変換部８２と、ＳＨ補正部８３と、明度・色差分離部８４と、画像調整部８５と、色空間変換部８６と、圧縮伸張部８７とを含む。また、第２の画像処理部４５は、画像入力部１８１と、Ａ／Ｄ変換部１８２と、ＳＨ補正部１８３と、明度・色差分離部１８４と、画像調整部１８５と、色空間変換部１８６と、圧縮伸張部１８７とを含む。第１画像処理部４３および第２画像処理部４５とは構成が同一であるので、ここでは第１画像処理部４３について説明する。
【０１１４】
画像入力部８１は、第１読取部４１から赤（Ｒ）、緑（Ｇ）および青（Ｂ）のそれぞれの画像データが入力される。Ａ／Ｄ変換部８２は、第１読取部４１から入力されるアナログ画像データをデジタルの画像データに変換する。ＳＨ補正部８３は、Ａ／Ｄ変換部８２から入力される画像データをシェーディング補正し、シェーディング補正後の画像データを明度・色差分離部８４に出力する。明度・色差分離部８４は、画像データを明度成分と色差成分とに分離し、それぞれを画像調整部８５に出力する。画像調整部８５は、シャープネス調整部８５Ａ、ＨＶＣ調整部８５Ｂおよび濃度補正部８５Ｃを含む。シャープネス調整部８５Ａは、画像を鮮明化する処理を実行し、ＨＶＣ調整部８５Ｂは、画像の色相（Ｈ）、明度（Ｖ）および彩度（Ｃ）を調整する。濃度補正部８５Ｃは、画像の濃度を補正する。画像調整部８５は、処理したＲＧＢそれぞれの画像データを色空間変換部８６に出力する。色空間変換部８６は、画像データの色空間をＲＧＢ色空間からＬ＊Ａ＊Ｂ＊色空間に変換し、圧縮伸張部８７に出力する。圧縮伸張部８７は、画像データを圧縮する。圧縮伸張部８７は、圧縮した画像データを、ＨＤＤ（ハードディスク）等のメモリ９０に記憶する。または外部インターフェイス（Ｉ／Ｆ）から外部の装置に出力する。
【０１１５】
図９は、本発明の実施の形態に従う両面原稿の読取モードを決定する制御フローを説明する図である。
【０１１６】
図９を参照して、両面原稿モードか否かを判断する（ステップＳ１）。すなわち、読取原稿が両面原稿であるか否かを判断する。当該判断は、上述した図４で説明したように、「片面／両面」設定ボタン２３４を押下した場合の設定画面において、原稿の形態を両面として選択し、設定したかどうかに基づいて判断することが可能である。
【０１１７】
そして、ステップＳ１において両面原稿モードである場合には、すなわち両面原稿の読取が指示された場合には、次に出力形態として、すなわち印刷形態としてツーインワン印刷モードであるどうかを判断する（ステップＳ２）。当該判断は、上述した図５で説明したように、「集約／原稿」設定ボタン２２２を押下した場合の設定画面において、集約設定として、ツーインワン（２ｉｎ１）を選択し、設定したかどうかに基づいて判断することが可能である。
【０１１８】
ステップＳ２において、ツーインワン印刷モードである場合には、次にステップＳ３に進み、順次読取モードに設定する（ステップＳ３）。順次読取モードとは、両面原稿の表面および裏面を同じ画像センサ例えばＣＣＤセンサを用いて読取るモードである。具体的には、上述した排紙・反転切換部２５，２６の切換えに従って搬送経路を切換えて、ＡＤＦ３内で両面原稿を反転して、同じ画像センサ例えばＣＣＤセンサを用いて読取るモードである。
【０１１９】
ステップＳ１において、両面原稿モードでない場合には片面原稿モードとして、通常の読取方式を実行する。具体的には、ＣＣＤセンサを用いて読取ることが可能である。当該判断は、上述した図４で説明したように、「片面／両面」設定ボタン２３４を押下した場合の設定画面において、原稿の形態を片面として選択し、設定したかどうかに基づいて判断することが可能である。なお、デフォルトとして、原稿の形態は片面が選択されている状態として設定することも可能である。
【０１２０】
ステップＳ２において、ツーインワン印刷モードでない場合には、次に両面印刷および２点綴じモードであるかどうかを判断する（ステップＳ４）。当該判断は、上述した図７で説明したように、「仕上り」設定ボタン２３６を押下した場合の設定画面において、ステープル処理として、「２点綴じ」を選択し、設定したかどうかに基づいて判断することが可能である。
【０１２１】
ステップＳ４において、両面印刷および２点綴じモードである場合には、ステップＳ３に進み、順次読取モードに設定する。
【０１２２】
一方、ステップＳ４において両面印刷および２点綴じモードではない場合には、次に小冊子モードであるかどうかを判断する（ステップＳ５）。当該判断は、上述した図６で説明したように「応用」設定ボタン２２６を押下した場合の設定画面において、「小冊子」を選択し、設定したかどうかに基づいて判断することが可能である。
【０１２３】
ステップＳ５において、小冊子モードである場合にはステップＳ７に進み、交互読取モードに設定される（ステップＳ７）。一方、小冊子モードでない場合には、一括読取モードに設定される（ステップＳ６）。
【０１２４】
ここで、一括読取モードとは、両面原稿の表面および裏面を互いに異なる画像センサ例えばＣＩＳおよびＣＣＤセンサを用いて一括して読取るモードである。
【０１２５】
また、交互読取モードとは、後述するが、両面原稿の一括読取モードを実行するモードであり、両面原稿の奇数枚目および偶数枚目で表裏を反転させて一括読取を実行するモードである。具体的には、ある両面原稿については、表面および裏面をそれぞれＣＣＤセンサおよびＣＩＳでの読取を実行した場合、次の両面原稿については、反転させて裏面および表面をＣＣＤセンサおよびＣＩＳでの読取を実行する方式である。
【０１２６】
図１０は、本発明の実施の形態に従う読取モードに従って原稿搬送を制御するフローを説明する図である。
【０１２７】
図１０を参照して、まずジョブ（原稿読取）が開始されたかどうかを判断する（ステップＳ１０）。
【０１２８】
そして、ジョブが開始された場合には、給紙処理が実行される（ステップＳ１１）。
次に、原稿の給紙枚数をカウントする給紙カウントアップを実行する（ステップＳ１２）。
【０１２９】
次に、両面読取モードかどうかを判断する（ステップＳ１３）。
ステップＳ１３において、両面読取モードでない場合すなわち片面原稿の読取の場合には、ステップＳ１５に進み、読取が完了したかどうかを判断する（ステップＳ１５）。
【０１３０】
そして、ステップＳ１５において読取が完了した場合には、次に排出処理を実行する（ステップＳ１６）。
【０１３１】
そして、次に原稿読取を実行する原稿があるか否かに基いて、原稿がある場合には、再びステップＳ１１に戻る。一方、原稿がない場合には、ステップＳ１８に進み、給紙枚数のカウント処理を初期状態に設定する給紙カウントクリアを実行する（ステップＳ１８）。そして、終了する。なお、原稿読取を実行する原稿があるか否かについては、図示しないが給紙側に設けられたセンサを用いて原稿の有無を判断するものとする。
【０１３２】
ステップＳ１３において、両面読取モードである場合には、次に一括読取モードかどうかを判断する（ステップＳ１４）。
【０１３３】
一括読取モードである場合には、ステップＳ１５に進む。そして、ステップＳ１５において、一括読取が完了した場合には、次に排出処理を実行する（ステップＳ１６）。その後の処理については、上記したのと同様であるのでその詳細な説明は繰り返さない。
【０１３４】
一方、ステップＳ１４において、一括読取モードでない場合には、ステップＳ１９に進む。
【０１３５】
ステップＳ１９において、順次読取モードか交互読取モードであるかどうかを判断する（ステップＳ１９）。
【０１３６】
ステップＳ１９において、順次読取モードである場合には、まず、両面原稿の表面読取が完了したかどうかを判断する（ステップＳ２０）。両面原稿の表面読取が完了した場合には、次に、ステップＳ２１で原稿の裏面を読取るために反転処理を実行する（ステップＳ２１）。
【０１３７】
そして、次に両面原稿の裏面読取が完了したかどうかを判断する（ステップＳ２２）。ステップＳ２２において、両面原稿の裏面読取が完了した場合には、次に、反転した原稿を元に戻すために反転排出処理を実行する（ステップＳ２３）。
【０１３８】
そして、ステップＳ１７に進む。
ステップＳ１９において、交互読取モードが実行された場合には、ステップＳ２４において奇数枚目かどうかを判断する（ステップＳ２４）。奇数枚目である場合には、次に両面原稿の読取が完了したかどうかを判断する（ステップＳ２５）。
【０１３９】
ステップＳ２５において、読取が完了した場合には次に排出処理を実行する（ステップＳ２６）。
【０１４０】
ステップＳ２４において、奇数枚目ではない場合すなわち偶数枚目である場合には、ステップＳ２７において反転処理を実行する。
【０１４１】
そして、次に両面原稿の読取が完了したかどうかを判断する（ステップＳ２８）。
ステップＳ２８において、両面原稿の読取が完了した場合には、ステップＳ２７において原稿が反転しているため元に戻すために反転排出処理を実行する（ステップＳ２９）。
【０１４２】
ここで、上述した両面原稿の具体例を挙げて本願発明の原稿読取処理について説明する。
【０１４３】
まず、図１６で説明したように両面原稿を両面印刷して、１点綴じする場合について考える。具体的には、図１５で説明した２枚の両面原稿に対して、両面印刷して１点綴じする場合について説明する。
【０１４４】
この場合は、図９の制御フローに従って、一括読取モードに設定される。
次に、図１０の制御フローに従って一括読取モードに設定された場合の原稿搬送処理について説明する。
【０１４５】
図１０を参照して、ジョブが開始された場合において、ステップＳ１３（ＹＥＳ）、ステップＳ１４（ＹＥＳ）からステップＳ１５に進む。そして、ステップＳ１５において読取が完了したかどうかが判断される。完了した場合には、ステップＳ１６において排出処理される。
【０１４６】
そして、上述した後処理工程において、ステープル処理である１点綴じが実行される。
図１１は、２枚の両面原稿を互いに異なる画像センサを用いて一括で読取り、両面印刷して１点綴じした場合について説明する図である。
【０１４７】
図１１（ａ）を参照して、ここでは、両面印刷した１枚目の印刷用紙の表面が示されている。具体的には、一例としてＣＣＤセンサを用いて１枚目の両面原稿の表面の読取りを実行して、印刷用紙の１枚目の表面に読取った図形を印字した場合が示されているものとする。また、１枚目の表面から見た裏面に描かれた左側方向への点線で囲まれる矢印の図形、また２枚目の表面および裏面の点線で囲まれる矢印の図形も示されている。
【０１４８】
図１１（ｂ）を参照して、ここでは、ステープル処理を実行した印刷用紙の左側上部端において折り曲げた場合が示されており、ＣＩＳを用いて１枚目の両面原稿の裏面の読取りを実行して、印刷用紙の１枚目の裏面に読取った図形を印字した場合が示されている。
【０１４９】
図１１（ｃ）を参照して、ここでは、ステープル処理を実行した印刷用紙の左側上部端において折り曲げた場合が示されており、ＣＣＤセンサを用いて２枚目の両面原稿の表面の読取りを実行して、印刷用紙の２枚目の表面に読取った図形を印字した場合が示されている。
【０１５０】
図１１（ｄ）を参照して、ここでは、ステープル処理を実行した印刷用紙の左側上部端において折り曲げた場合が示されており、ＣＩＳを用いて２枚目の両面原稿の裏面の読取りを実行して、印刷用紙の２枚目の裏面に読取った図形を印字した場合が示されている。
【０１５１】
したがって、１枚目の印刷用紙の表面画像および裏面の画像には画質差がある。また、２枚目の印刷用紙の表面画像および裏面の画像には画質差がある。
【０１５２】
ここで、複数の印刷用紙に対してステープル処理を実行した場合、具体的には、１点綴じの場合には、利用者は、１枚ずつ折り曲げて、１枚目の裏面、２枚目の表面および２枚目の裏面を見ることになる。したがって、１枚目の裏面および２枚目の表面を同時に見ることにはならない、すなわち利用者は、両面原稿に画質の差がある場合であっても気にならないと考えられる。
【０１５３】
したがって、図１６で説明したように両面原稿を同じ画像センサ例えばＣＣＤセンサを用いて順次に読取りを実行して、両面原稿を両面印刷して１点綴じした場合には、ＡＤＦの搬送経路内で原稿の表裏を反転し、同一センサで両面を読み取ることになり処理効率が低下することになるが、本実施の形態に従う方式の如く、出力形態として両面原稿を両面印刷して１点綴じする場合には、一括読取モードとすることにより、画質差が気にならない両面印刷の１点綴じを高速に実行して原稿読取の生産性も高めることが可能である。
【０１５４】
次に、図１７（ｄ）で説明したように両面原稿をツーインワン（２ｉｎ１）コピーを実行する場合について考える。具体的には、図１７（ａ）〜（ｃ）で説明した両面原稿に対してツーインワンコピーを実行する場合について説明する。
【０１５５】
この場合は、図９の制御フローに従って、順次読取モードに設定される。
次に、図１０の制御フローに従って順次読取モードに設定された場合の原稿搬送処理について説明する。
【０１５６】
図１０を参照して、ジョブが開始された場合において、ステップＳ１３（ＹＥＳ）、ステップＳ１４（ＮＯ）からステップＳ１９に進む。そして、ステップＳ１９において、順次読取モードに設定されているため、ステップＳ２０において、両面原稿の表面読取が完了したかどうかが判断される。完了した場合には、ステップＳ２１において反転処理されて、そして、ステップＳ２２において両面原稿の裏面読取が完了したかどうかが判断される。そして、ステップＳ２３において、両面原稿は反転排出処理される。
【０１５７】
図１２は、順次読取モードにより、両面原稿をツーインワン（２ｉｎ１）コピーした場合を説明する図である。
【０１５８】
図１２を参照して、上述した順次読取モードの原稿搬送処理により、両面原稿の表面および裏面に対して同一の画像センサを用いて読み取ることになる。具体的には、両面原稿の表面および裏面を同じ画像センサ例えばＣＣＤセンサを用いて読取りを実行し、ツーインワンコピーすることになるため印字された２つの矢印の図形の画質は同じである。
【０１５９】
したがって、図１７（ｄ）で説明したように両面原稿をそれぞれ異なる画像センサ（ＣＣＤセンサおよびＣＩＳ）を用いて一括して読取りを実行して、ツーインワンコピーした場合には、画質差が生じている表面画像と裏面画像を同時に見ることになり、画質差が気になるが、本実施の形態に従う方式の如く、出力形態として両面原稿をツーインワンコピーする場合には、順次読取モードとすることにより、画質差は生じず、画質差が気にならないツーインワンコピーを実行することが可能である。
【０１６０】
次に、図１８で説明したように両面原稿を両面印刷して、２点綴じする場合について考える。具体的には、図１５で説明した２枚の両面原稿に対して、両面印刷して２点綴じする場合について説明する。
【０１６１】
この場合は、図９の制御フローに従って、順次読取モードに設定される。
次に、図１０の制御フローに従って順次読取モードに設定された場合の原稿搬送処理について説明する。
【０１６２】
図１０を参照して、ジョブが開始された場合において、ステップＳ１３（ＹＥＳ）、ステップＳ１４（ＮＯ）からステップＳ１９に進む。そして、ステップＳ１９において、順次読取モードに設定されているため、ステップＳ２０において、両面原稿の表面読取が完了したかどうかが判断される。完了した場合には、ステップＳ２１において反転処理されて、そして、ステップＳ２２において両面原稿の裏面読取が完了したかどうかが判断される。そして、ステップＳ２３において、両面原稿は反転排出処理される。
【０１６３】
そして、上述した後処理工程において、ステープル処理である２点綴じが実行される。
図１３は、順次読取モードにより、両面原稿を両面印刷して２点綴じした場合を説明する図である。
【０１６４】
上述した順次読取モードの原稿搬送処理により、両面原稿の表面および裏面に対して同一の画像センサを用いて読み取ることになる。具体的には、両面原稿の表面および裏面を同じ画像センサ例えばＣＣＤセンサを用いて読取りを実行し、両面印刷することになる。
【０１６５】
図１３（ａ）を参照して、ここでは、両面印刷した１枚目の印刷用紙の表面が示されている。具体的には、一例としてＣＣＤセンサを用いて１枚目の両面原稿の表面の読取りを実行して、印刷用紙の１枚目の表面に読取った図形を印字した場合が示されているものとする。また、１枚目の表面から見た裏面に描かれた左側方向への点線で囲まれる矢印の図形、また２枚目の表面および裏面の点線で囲まれる矢印の図形も示されている。
【０１６６】
図１３（ｂ）を参照して、ここでは、ステープル処理を実行した印刷用紙の左端を折り曲げた場合を説明する図である。具体的には、左側部分は、ＣＣＤセンサを用いて１枚目の両面原稿の裏面の読取りを実行して、印刷用紙の１枚目の裏面に読取った図形を印字した場合が示されている。また、右側部分は、ＣＣＤセンサを用いて２枚目の両面原稿の表面の読取りを実行して、印刷用紙の２枚目の表面に読取った図形を印字した場合が示されている。
【０１６７】
図１３（ｃ）を参照して、ここでは、両面印刷した２枚目の印刷用紙の裏面が示されている。具体的には、一例としてＣＣＤセンサを用いて２枚目の両面原稿の裏面の読取りを実行して、印刷用紙の２枚目の裏面に読取った図形を印字した場合が示されている。
【０１６８】
したがって、図１３（ｂ）の場合のように、ステープル処理を実行して左端を折り曲げた状態で左側部分の１枚目の両面原稿の裏面画像と右側部分の２枚目の両面原稿の表面画像は画質差は生じない。
【０１６９】
したがって、図１８で説明したように両面原稿をそれぞれ異なる画像センサ（ＣＣＤセンサおよびＣＩＳ）を用いて一括して読取りを実行して、両面原稿を両面印刷して２点綴じした場合には、画質差が生じている表面画像と裏面画像を同時に見ることになり、画質差が気になるが、本実施の形態に従う方式の如く、出力形態として両面原稿を両面印刷して２点綴じした場合には、順次読取モードとすることにより、画質差は生じず、画質差が気にならない両面印刷の２点綴じを実行することが可能である。
【０１７０】
次に、図１９および図２０で説明したように両面原稿を小冊子コピーする場合について考える。具体的には、図１５で説明した２枚の両面原稿を小冊子コピーする場合について説明する。
【０１７１】
この場合は、図９の制御フローに従って、交互読取モードに設定される。
次に、図１０の制御フローに従って順次読取モードに設定された場合の原稿搬送処理について説明する。
【０１７２】
図１０を参照して、ジョブが開始された場合において、ステップＳ１３（ＹＥＳ）、ステップＳ１４（ＮＯ）からステップＳ１９に進む。そして、ステップＳ１９において交互読取モードに設定されているため、ステップＳ２４に進み、奇数枚目の場合すなわち１枚目の場合には、ステップＳ２５に進み、一括読取が実行されて、読取が完了したかどうかが判断される。そして、排出処理される。次に、ステップＳ１７に進み、さらに２枚目があるためステップＳ１１に戻る。そして、再び、ステップＳ２４に進み、偶数枚目であるためステップＳ２７に進む。そして、ステップＳ２７において反転処理して、一括読取が実行されて、ステップ２８において読取が完了したかどうかが判断される。ステップＳ２８において読取が完了した場合には、反転して排出処理される。
【０１７３】
図１４は、交互読取モードにより、両面原稿を小冊子コピーした場合を説明する図である。
【０１７４】
この場合、１枚目（奇数枚目）の表面画像は、ＣＣＤセンサを用いて読取られ、裏面画像はＣＩＳを用いて読取られる。また、２枚目（偶数枚目）の表面画像は、ＣＩＳを用いて読取られ、裏面画像はＣＣＤセンサを用いて読取られる。
【０１７５】
図１４（ａ）を参照して、ここでは、上述したように印刷用紙を中央部分で折り曲げた場合の図が示されており、１頁目として、１枚目の両面原稿の表面画像が読取られて、上述したツーインワンコピーにより印刷用紙の表面の右側に印字された場合が示されている。
【０１７６】
図１４（ｂ）を参照して、ここでは、図１４（ａ）の状態から印刷用紙を見開いた状態が示されており、２頁目および３頁目として、１枚目の両面原稿の裏面画像および２枚目の両面原稿の表面画像が読取られて、上述したツーインワンコピーにより印刷用紙の裏面の左側および右側にそれぞれ印字された場合が示されている。
【０１７７】
図１４（ｃ）を参照して、ここでは、図１４（ｂ）の状態から印刷用紙を中央部分で折り曲げた場合の図が示されており、４頁目として、２枚目の両面原稿の裏面画像が読取られて、上述したツーインワンコピーにより印刷用紙の表面の左側に印字された場合が示されている。
【０１７８】
再び、図１４（ｂ）を参照して、本例においては、左側部分は、ＣＩＳを用いて１枚目の両面原稿の裏面を読取り、右側部分についてもＣＩＳを用いて２枚目の両面原稿の表面の読取り、それぞれ印刷用紙に印字したものであり画質差は生じない。
【０１７９】
したがって、図１９で説明したように両面原稿をそれぞれ異なる画像センサ（ＣＣＤセンサおよびＣＩＳ）を用いて一括して読取りを実行して、両面原稿を両面印刷して小冊子コピーした場合には、画質差が生じている表面画像と裏面画像を同時に見ることになり、画質差が気になるが、本実施の形態に従う方式の如く、出力形態として両面原稿を小冊子コピーする場合には、交互読取モードとすることにより、画質差は生じず、画質差が気にならない小冊子コピーを実行することが可能である。
【０１８０】
また、本例の場合、偶数枚目は、反転して一括読取を実行するが、奇数枚目は反転することなく一括読取を実行する方式である。
【０１８１】
したがって、図２０で説明したように両面原稿を順次に読み取り小冊子コピーを実行した場合には、ＡＤＦの搬送経路内で原稿の表裏を反転し、一方の画像センサ例えばＣＣＤセンサのみを用いて原稿の表裏の画像を読み取り、同一センサで両面を読み取ることになるため処理効率が低下することになるが、本実施の形態に従う方式の如く、出力形態として両面原稿を小冊子コピーする場合には、交互読取モードとすることにより、奇数枚目は、一括読取を実行するため読取った原稿の画質も考慮しつつ、原稿読取の処理効率も高い読取が可能である。
【０１８２】
なお、上記においては、ツーインワンの印刷方式について主に説明したが、特にツーインワンに限られず、ｎインワンすなわち、ｎ個の原稿を１枚の印刷用紙に印刷する方式についても同様に適用可能である。
【０１８３】
また、図５のフローにおいて、ステップＳ２４およびステップＳ２７において、偶数枚目の処理の場合に反転処理する方式について説明したが、奇数枚目の処理の場合に反転処理する方式とすることも可能である。この場合、ステップＳ２４において偶数枚目であればステップＳ２５に進み、奇数枚目であれば、ステップＳ２７に進むように変更すればよい。
【０１８４】
また、上記においては、２点綴じの場合についてのみ説明したがそれ以上の例えば３点綴じ等の場合においても２点綴じと同様に処理することが可能である。
【０１８５】
なお、本発明にかかる画像形成装置はＭＦＰに限定されず、画像形成装置であれば、プリンタやファクシミリ装置等であってもよい。なお、両面画像読取装置を制御するＡＤＦ制御部およびスキャナ処理部の代わりにコンピュータを機能させて、上述のフローで説明したような制御を実行させるプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１８６】
なお、本発明にかかるプログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１８７】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１８８】
提供されるプログラム製品は、ハードディスクなどのプログラム格納部にインストールされて実行される。なお、プログラム製品は、プログラム自体と、プログラムが記録された記録媒体とを含む。
【０１８９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１９０】
【図１】本発明の実施の形態に従う両面画像読取装置を含む画像形成装置の概略を説明する断面図である。
【図２】ＭＦＰ１の内部の制御構成を説明する概略ブロック図である。
【図３】表示部７４および操作キー群７８を配置したパネル１０の構成を示す平面図である。
【図４】「片面／両面」設定ボタン２３４を押下した場合の表示部７４のディスプレイ内の表示内容を説明する図である。
【図５】「集約／原稿」設定ボタン２２２を押下した場合の表示部７４のディスプレイ内の表示内容を説明する図である。
【図６】「応用」設定ボタン２２６を押下した場合の表示部７４のディスプレイ内の表示内容を説明する図である。
【図７】「仕上り」ボタン２３６を押下した場合の表示部７４のディスプレイ内の表示内容を説明する図である。
【図８】第１および第２の画像処理部の機能の概略を説明する概略ブロック図である。
【図９】本発明の実施の形態に従う両面原稿の読取モードを決定する制御フローを説明する図である。
【図１０】本発明の実施の形態に従う読取モードに従って原稿搬送を制御するフローを説明する図である。
【図１１】２枚の両面原稿を互いに異なる画像センサを用いて一括で読取り、両面印刷して１点綴じした場合について説明する図である。
【図１２】順次読取モードにより、両面原稿をツーインワンコピーした場合を説明する図である。
【図１３】順次読取モードにより、両面原稿を両面印刷して２点綴じした場合を説明する図である。
【図１４】交互読取モードにより、両面原稿を小冊子コピーした場合を説明する図である。
【図１５】２枚の両面原稿の一例を説明する図である。
【図１６】２枚の両面原稿を同じ画像センサを用いて順次に読取り、両面印刷して１点綴じを実行した場合について説明する図である。
【図１７】出力形態として、両面原稿をツーインワンコピーする場合を説明する図である。
【図１８】出力形態として、２枚の両面原稿を互いに異なる画像センサを用いて一括で読取り、両面印刷して２点綴じを実行した場合を説明する図である。
【図１９】出力形態として、２枚の両面原稿を互いに異なる画像センサを用いて一括で読取り、小冊子コピーした場合を説明する図である。
【図２０】出力形態として、２枚の両面原稿を同じ画像センサを用いて順次に読取り、小冊子コピーした場合を説明する図である。
【符号の説明】
【０１９１】
１  ＭＦＰ、３  ＡＤＦ、５  スキャナ、５０  画像形成部、６０  後処理部、１１  給紙トレー、１３  給紙ローラ、１５  分離ローラ、１７  レジストローラ、１９  読取前ローラ、２０  搬送ガイド部材、２１  中間ローラ、２２  反転排出ローラ、２３  読取後ローラ、２５，２６  排紙・反転切換部、２７  排紙トレー、２９  第２読取部、３０  排出ローラ、３１  プラテンガラス、３３  光源、３５  反射部材、３７Ａ，３７Ｂ，３７Ｃ  反射ミラー、３９  レンズ、４１  第１読取部、４３  第１画像処理部、４５  第２画像読取部、５０  画像形成部、５１  スキャナ制御部、６０  後処理部、６１  ＡＤＦ制御部、６５  ステープル処理部。
【図１】
0004450052.tif 000002
【図２】
0004450052.tif 000003
【図３】
0004450052.tif 000004
【図４】
0004450052.tif 000005
【図５】
0004450052.tif 000006
【図６】
0004450052.tif 000007
【図７】
0004450052.tif 000008
【図８】
0004450052.tif 000009
【図９】
0004450052.tif 000010
【図１０】
0004450052.tif 000011
【図１１】
0004450052.tif 000012
【図１２】
0004450052.tif 000013
【図１３】
0004450052.tif 000014
【図１４】
0004450052.tif 000015
【図１５】
0004450052.tif 000016
【図１６】
0004450052.tif 000017
【図１７】
0004450052.tif 000018
【図１８】
0004450052.tif 000019
【図１９】
0004450052.tif 000020
【図２０】
0004450052.tif 000021